(57)【要約】【課題】  簡易な構成で適切に家電機器を制御して快適な居住空間を実現することができる家電制御装置を提供する。【解決手段】  予め定める時刻になると、家電ログに基づく家電機器の動作状態と、照明調光条件リストとを照合する。現在の動作状態と照明調光条件リストの動作状態とが一致していれば、調光制御対象項目を参照し、照明機器の調光制御を行う。【選択図】      図５
2014135616.tif 000002
【特許請求の範囲】
【請求項１】
家屋に設置された複数の家電機器の動作制御が可能な家電制御装置であって、
複数の家電機器について、家電機器ごとの動作状態を取得する状態取得部と、
前記複数の家電機器のうち、動作制御の対象となる対象機器を選択する対象選択部と、
前記対象機器以外の家電機器について、該家電機器と、該家電機器の動作状態とが関連付けられた動作状態リスト、および前記対象機器と、該対象機器の予め定める動作内容とが関連付けられた動作内容リストを作成するリスト作成部と、
予め定める時刻になると、前記状態取得部によって取得された家電機器の動作状態と、前記動作状態リストとを照合し、前記動作状態が関連付けられた全ての家電機器に関して、取得された動作状態と前記動作状態リストの動作状態とが一致しているか否かを判断する状態判断部と、
前記状態判断部によって、取得された動作状態と前記動作状態リストの動作状態とが一致していると判断されると、前記動作内容リストを参照し、前記対象機器に関連付けられた動作内容で動作するように、該対象機器の動作制御を行う動作制御部と、を有することを特徴とする家電制御装置。
【請求項２】
前記対象機器は、家屋内を照明する発光部を備え、
前記動作内容は、前記発光部の発光量の低減であることを特徴とする請求項１記載の家電制御装置。
【請求項３】
前記対象機器は、家屋内に音声を出力する音声出力部を備え、
前記動作内容は、前記音声出力部の音量の低減であることを特徴とする請求項１または２記載の家電制御装置。
【請求項４】
前記状態判断部によって、少なくとも１つの家電機器に関して、取得された動作状態と予め定める動作状態とが一致していないことが判断されると、該家電機器を特定するための特定情報をユーザに報知する報知部を有することを特徴とする請求項１〜３のいずれか１つに記載の家電制御装置。
【請求項５】
家屋に設置された複数の家電機器の動作を制御する家電制御方法であって、
複数の家電機器について、家電機器ごとの動作状態を取得する状態取得工程と、
前記複数の家電機器のうち、動作制御の対象となる対象機器を選択する対象選択工程と、
前記対象機器以外の家電機器について、該家電機器と、該家電機器の動作状態とが関連付けられた動作状態リスト、および前記対象機器と、該対象機器の予め定める動作内容とが関連付けられた動作内容リストを作成するリスト作成工程と、
予め定める時刻になると、前記状態取得工程で取得された家電機器ごとの動作状態と、前記動作状態リストとを照合し、前記動作状態が関連付けられた全ての家電機器に関して、取得された動作状態と前記動作状態リストの動作状態とが一致しているか否かを判断する状態判断工程と、
前記状態判断工程で、取得された動作状態と前記動作状態リストの動作状態とが一致していると判断されると、前記動作内容リストを参照し、前記対象機器に関連付けられた動作内容で動作するように、該対象機器の動作制御を行う動作制御工程と、を有することを特徴とする家電制御方法。
【請求項６】
コンピュータを請求項１〜４のいずれか１つに記載の家電制御装置として機能させるためのプログラム。
【発明の詳細な説明】
【技術分野】
【０００１】
本発明は、家屋に設けられた複数の家電機器の動作制御を行う家電制御装置に関する。
【背景技術】
【０００２】
一般家庭の家屋には、複数の家電機器が設置されており、これら家電機器を集中制御するシステムも構築されている。たとえば、エネルギ管理を補助するシステムとして家庭内エネルギ監視システム（ＨＥＭＳ）がある。ＨＥＭＳを導入することにより、現在の消費電力量および消費電力量の推移などを表示および記憶し、さらに消費電力量を抑えるために、動作制御可能な家電機器に対してはエコモードでの運転に切り替えることなどができる。
【０００３】
遠隔制御可能な家電機器が増えると、外出先から自宅に設置された家電機器に対してコマンドを送信して動作の開始または終了、動作パラメータの変更などを行うことができる。家電機器がたとえば空気調和機（エアコン）であれば、外出先から遠隔操作により帰宅前にエアコンの動作を開始させる。
【０００４】
ＨＥＭＳのように環境を考慮したシステムだけではなく、居住空間をより快適にするために、家電機器の遠隔制御や集中制御を行うことが望まれている。
【０００５】
特許文献１記載の照明装置は、居住者の生体情報を検知し、検知結果に基づいて、直接照射光の照射と、間接照射光の照射とを切り換えることが可能であり、居住者が睡眠状態に移行し始めると、速やかに直接照明モードから間接照明モードに切り換わり、快適な睡眠が得られる。
【先行技術文献】
【特許文献】
【０００６】
【特許文献１】特開２００８−２６２８６９公報
【発明の概要】
【発明が解決しようとする課題】
【０００７】
特許文献１記載の照明装置では、居住者がベッドに横たわったかどうかを検知するために圧力センサや撮像カメラを設け、睡眠深度を検知するために脈波や心拍数、呼吸数を検知する構成を設けるなど、直接照明モードと間接照明モードとを切り換えるために各種センサなど多くの構成を必要とする。
【０００８】
このように、従来は、居住空間をより快適にするために、まず居住者の行動を検知し、検知結果に基づいて家電機器などの動作を制御するという構成が当然に考えられているが、行動検知のためのセンサが多くなり装置規模が大きくなる。また多くのセンサから出力される信号を処理して、家電機器に対する制御を行わなければならない。
【０００９】
本発明の目的は、簡易な構成で適切に家電機器を制御して快適な居住空間を実現することができる家電制御装置を提供することである。
【課題を解決するための手段】
【００１０】
本発明は、家屋に設置された複数の家電機器の動作制御が可能な家電制御装置であって、
複数の家電機器について、家電機器ごとの動作状態を取得する状態取得部と、
前記複数の家電機器のうち、動作制御の対象となる対象機器を選択する対象選択部と、
前記対象機器以外の家電機器について、該家電機器と、該家電機器の動作状態とが関連付けられた動作状態リスト、および前記対象機器と、該対象機器の予め定める動作内容とが関連付けられた動作内容リストを作成するリスト作成手段と、
予め定める時刻になると、前記状態取得部によって取得された家電機器の動作状態と、前記動作状態リストとを照合し、前記動作状態が関連付けられた全ての家電機器に関して、取得された動作状態と前記動作状態リストの動作状態とが一致しているか否かを判断する状態判断部と、
前記状態判断部によって、取得された動作状態と前記動作状態リストの動作状態とが一致していると判断されると、前記動作内容リストを参照し、前記対象機器に関連付けられた動作内容で動作するように、該対象機器の動作制御を行う動作制御部と、を有することを特徴とする家電制御装置である。
【００１１】
また本発明は、家屋に設置された複数の家電機器の動作を制御する家電制御方法であって、
複数の家電機器について、家電機器ごとの動作状態を取得する状態取得工程と、
前記複数の家電機器のうち、動作制御の対象となる対象機器を選択する対象選択工程と、
前記対象機器以外の家電機器について、該家電機器と、該家電機器の動作状態とが関連付けられた動作状態リスト、および前記対象機器と、該対象機器の予め定める動作内容とが関連付けられた動作内容リストを作成するリスト作成工程と、
予め定める時刻になると、前記状態取得工程で取得された家電機器ごとの動作状態と、前記動作状態リストとを照合し、前記動作状態が関連付けられた全ての家電機器に関して、取得された動作状態と前記動作状態リストの動作状態とが一致しているか否かを判断する状態判断工程と、
前記状態判断工程で、取得された動作状態と前記動作状態リストの動作状態とが一致していると判断されると、前記動作内容リストを参照し、前記対象機器に関連付けられた動作内容で動作するように、該対象機器の動作制御を行う動作制御工程と、を有することを特徴とする家電制御方法である。
【発明の効果】
【００１２】
本発明によれば、リスト作成部が、制御の対象機器以外の家電機器について、該家電機器と、該家電機器の動作状態とが関連付けられた動作状態リスト、および前記対象機器と、該対象機器の予め定める動作内容とが関連付けられた動作内容リストを作成する。状態判断部は、予め定める時刻になると、状態取得部によって取得された家電機器の動作状態と、前記動作状態リストとを照合し、前記動作状態が関連付けられた全ての家電機器に関して、取得された動作状態と前記動作状態リストの動作状態とが一致しているか否かを判断する。
【００１３】
動作制御部は、前記状態判断部によって、取得された動作状態と前記動作状態リストの動作状態とが一致していると判断されると、前記動作内容リストを参照し、前記対象機器に関連付けられた動作内容で動作するように、該対象機器の動作制御を行う。
【００１４】
これにより、対象機器以外の全ての家電機器が予め定める動作状態となっていれば対象機器の動作制御を実行することができるので、対象機器の動作制御を実行するタイミングを決定するために各種のセンサを用いる必要がなく、簡易な構成で適切に家電機器を制御して快適な居住空間を実現することができる。
【００１５】
また本発明によれば、リスト作成工程で、制御の対象機器以外の家電機器について、該家電機器と、該家電機器の動作状態とが関連付けられた動作状態リスト、および前記対象機器と、該対象機器の予め定める動作内容とが関連付けられた動作内容リストを作成する。状態判断工程では、予め定める時刻になると、取得された家電機器の動作状態と、前記動作状態リストとを照合し、前記動作状態が関連付けられた全ての家電機器に関して、取得された動作状態と前記動作状態リストの動作状態とが一致しているか否かを判断する。
【００１６】
動作制御工程では、取得された動作状態と前記動作状態リストの動作状態とが一致していると判断されると、前記動作内容リストを参照し、前記対象機器に関連付けられた動作内容で動作するように、該対象機器の動作制御を行う。
【００１７】
これにより、対象機器以外の全ての家電機器が予め定める動作状態となっていれば対象機器の動作制御を実行することができるので、対象機器の動作制御を実行するタイミングを決定するために各種のセンサを用いる必要がなく、簡易な構成で適切に家電機器を制御して快適な居住空間を実現することができる。
【図面の簡単な説明】
【００１８】
【図１】家電制御システムＳの構成を示す概略図である。
【図２】家電ログサーバ装置１の構成を示すブロック図である。
【図３】端末装置２の構成を示すブロック図である。
【図４】家電ログサーバ装置１による照明調光条件リストの作成処理を示すフローチャートである。
【図５】家電ログサーバ装置１による照明機器Ｋ２の調光制御処理を示すフローチャートである。
【図６】調光開始予定時刻の入力画面例を示す図である。
【図７】照明調光条件リストの完了状況を示す表示画面例である。
【図８】家電ログサーバ装置１による照明調光条件リストの作成処理を示すフローチャートである。
【図９】照明調光条件リストの完了状況を示す表示画面例である。
【図１０】調光制御対象装置の選択および照明調光条件リストの完了状況を示す表示画面例である。
【発明を実施するための形態】
【００１９】
図１は、家電制御システムＳの構成を示す概略図である。家電制御システムＳは、家電ログサーバ装置１と端末装置２と、家電機器Ｋとを含んで構成される。家電制御システムＳは、主に一般家庭の家屋に設置された家電機器Ｋを遠隔制御によって制御し、快適な住空間を実現しようとするものである。
【００２０】
ここで、家電機器Ｋは、一般家庭の家屋に設置可能な機器であればよく、たとえば、液晶テレビＫ１、照明機器Ｋ２、自律型掃除機Ｋ３、多機能体重計Ｋ４、全自動洗濯機Ｋ５などを含む。これら家電機器Ｋは、インターネットＮ１およびイントラネットＮ２などの通信ネットワークを介した通信機能を有しており、家電ログサーバ装置１に対して動作状態を含む状態情報を送信する。
【００２１】
家電ログサーバ装置１は、家電機器Ｋから送信される状態情報を受信して、各家電機器Ｋ１〜Ｋ５のそれぞれについて、電源のオン／オフなどの動作状態を経時的に記録した家電ログを作成し、一定期間にわたって記憶している。
【００２２】
また、家電機器Ｋは、インターネットＮ１およびイントラネットＮ２などの通信ネットワークを介した遠隔制御機能を有し、家電ログサーバ装置１から送信される遠隔制御コマンドを含む制御情報を受信すると、制御情報に含まれる遠隔制御コマンドを解釈してコマンド内容に応じた動作を行う。
【００２３】
端末装置２は、家電機器Ｋが設置される家屋の居住者が所持し、インターネットＮ１を介して直接的に、またはイントラネットＮ２を経由して家電ログサーバ装置１と通信可能に構成され、家電ログサーバ装置１から家電ログを受信し、これを表示することで、所持者である居住者が家電機器Ｋの動作状態を確認することができる。詳細は後述するが、居住者は、この端末装置２を操作することで、家電ログサーバ装置１から送信される調光用チェックリストの項目作成、調光用チェックリストの表示、手動による項目の追加、制御対象機器の選択などを行うことができる。
【００２４】
なお、家電機器Ｋと端末装置２とは家屋内のイントラネットＮ２を介して互いに通信可能に構成されていてもよく、家電機器Ｋと家電ログサーバ装置１、端末装置２と家電ログサーバ装置１がそれぞれ通信可能に構成され、家電機器Ｋと端末装置２とは直接通信可能でなくてもよい。
【００２５】
図２は、家電ログサーバ装置１の構成を示すブロック図である。家電ログサーバ装置１は、制御部１０、記憶部１１および通信部１２を備える。
【００２６】
制御部１０は、記憶部１１に記憶される各種プログラムを実行することによって、家電ログサーバ装置１の動作を制御する。
【００２７】
記憶部１１は、たとえば半導体メモリあるいはハードディスク装置などの記憶装置によって構成され、制御部１０で実行されるプログラム、制御部１０がプログラムを実行するために必要なデータ、および家電制御システムＳが動作するのに必要な各種情報などを記憶する。記憶部１１に記憶されるデータは、制御部１０によって書き込みおよび読み出しが行われる。
【００２８】
記憶部１１に記憶される情報には、家電機器Ｋの動作状態を記録した家電ログ、照明機器Ｋ２の調光を開始するための条件をチェックするための調光用チェックリスト、照明機器Ｋ２の調光に係る制御内容が登録された制御項目リストなどが含まれる。
【００２９】
通信部１２は、インターネットＮ１を介して、家電機器Ｋと情報の送受信を行う通信装置によって構成される。通信部１２は、制御部１０から受け取る情報を家電機器Ｋに送信し、家電機器Ｋから受信する情報を制御部１０に送る。
【００３０】
なお、図２では、表示部や操作部について図示していないが、本発明の動作を実行するにあたっては必要としないので省略しているだけに過ぎず、表示部および操作部を備えていてもよい。
【００３１】
図３は、端末装置２の構成を示すブロック図である。端末装置２は、たとえばスマートフォンなどの携帯型通信端末装置によって構成される。端末装置２は、制御部２１、記憶部２２、通信部２３、表示部２４、操作部２５および音声入出力部２６を含んで構成される。
【００３２】
制御部２１は、記憶部２２に記憶される各種プログラムを実行することによって、端末装置２全体を制御する。
【００３３】
記憶部２２は、たとえば半導体メモリあるいはハードディスク装置などの記憶装置によって構成される。記憶部２２は、制御部２１で実行されるプログラム、および制御部２１がプログラムを実行するために必要なデータなどを記憶する。記憶部２２に記憶されるデータは、制御部２１によって書き込みおよび読み出しが行われる。
【００３４】
記憶部２２には、たとえばアプリケーションソフトウェア（以下では単に「アプリ」という。）を実行するための各種プログラムおよびデータ、ウェブブラウザソフトウェア（以下では単に「ブラウザ」という）を実行するための各種プログラムおよびデータなどが記憶される。
【００３５】
アプリとしては、たとえば、テレビ放送を視聴するテレビアプリ、静止画および動画を表示する画像表示アプリ、ゲームを実行するゲームアプリ、電子書籍を表示する電子書籍アプリ、地図情報の表示および経路探索などを実行するナビゲーションアプリなど各種アプリを実行することができる。
【００３６】
通信部２３は、たとえば移動体通信網やインターネットＮ１を介して家電ログサーバ装置１と通信可能な通信装置によって実現される。インターネットＮ１と接続するための通信方式は、８０２．１１無線通信、Ｂｌｕｅｔｏｏｔｈ（登録商標）、あるいはＺｉｇｂｅｅ（登録商標）などの通信方式であってもよい。通信部２３は、移動体通信網を介して家電ログサーバ装置１に接続される場合、図示しない基地局の通信設備を介して接続される。
【００３７】
表示部２４は、たとえば液晶ディスプレイなどの表示装置によって構成される。表示部２４は、表示画面を有し、家電ログサーバ装置１から受け取る家電ログ、調光用チェックリストなどを表示画面に表示する。
【００３８】
操作部２５は、たとえば、スイッチなどの操作ボタン、および表示部２４の表示画面に積層されるタッチパネルなどの入力装置によって構成される。操作部２５は、入力された情報、具体的には、操作された操作ボタンを表す情報、およびタッチパネルによってタッチされた位置を表す位置情報を制御部２１に送る。制御部２１は、操作部２５から受け取る位置情報に基づいて、表示画面に表示しているソフトキーなどのキーが押下されたかどうかを認識することができる。
【００３９】
音声入出力部１８は、たとえばマイクロフォンおよびスピーカによって構成される。音声入出力部１８は、制御部２１から受け取る情報をスピーカによって音として出力し、マイクロフォンによって入力された音を表す情報を制御部２１に送る。
【００４０】
本発明の家電制御システムＳは、特に居住者が就寝するときに、照明機器Ｋ２を調光して、居住者に対して快適な睡眠を促すものである。本システムの特徴は、センサなどによって居住者の家屋内での動作を検知する必要がなく、照明機器Ｋ２以外の他の家電機器の動作状態に基づいて、居住者が睡眠し始めるタイミングまたは睡眠を促すタイミングに調光を開始する。
【００４１】
＜第１実施形態＞
図４は、家電ログサーバ装置１による照明調光条件リストの作成処理を示すフローチャートである。第１実施形態では、家電ログサーバ装置１が、家電ログに基づいて照明調光条件リストを自動作成する。
【００４２】
照明調光条件リスト（動作状態リスト）は、後述する設定時間になると、家電機器Ｋ１〜Ｋ５ごとに決められた動作状態となっているかどうかを確認するためのチェックリストである。
【００４３】
たとえば、家電ログとして取得している家電機器Ｋのうち、照明機器Ｋ２を除く他の家電機器Ｋ１，Ｋ３〜Ｋ５全てについて、動作状態として「電源オフ」を関連付けた動作状態リストを照明調光条件リストとする。
【００４４】
このような照明調光条件リストを作成する場合には、制御部１０が、ステップＡ１で、記憶部１１に記憶されている家電ログを読み出し、ステップＡ２で、照明調光条件リストの項目を作成する。家電ログに記録されている家電機器Ｋから照明機器Ｋ２を除いた家電機器をリストアップし、機器ごとに「電源オフ」の動作状態を関連付けて照明調光条件リストとする。
【００４５】
なお、動作状態を一律で「電源オフ」としたのは、説明を容易にするためであって、必ずしも照明調光条件リストの項目として動作状態を「電源オフ」とする必要はない。
【００４６】
液晶テレビＫ１の場合は、睡眠を始めるときに「電源オフ」される可能性が高いので、動作状態は「電源オフ」とするのがよい。多機能体重計Ｋ４の場合、測定後すぐに「電源オフ」となっている可能性が高いので、動作状態を「電源オフ」としても問題はないが、チェックリスト項目のより好ましい動作状態として、「測定結果が送信された」としてもよい。多機能体重計Ｋ４の場合は、睡眠時に電源がオフとなっているかどうかよりも、一日のうちで少なくとも１回は測定したかどうかをチェック項目としたほうがより好ましい。
【００４７】
また、自律型掃除機Ｋ３であれば、「所定の床面積以上掃除を行った。」、「所定時間以上掃除を行った。」など一日のうちで少なくとも効果的な掃除を行ったかどうかをチェック項目としたほうがより好ましい。
【００４８】
「電源オフ」以外の動作状態を項目として挙げる場合は、家電ログサーバ装置１が所定の期間にわたって、家電ログに記録された各家電機器Ｋの動作状態を解析し、解析結果に基づいて家電機器Ｋごとの動作状態を決定すればよい。家電ログの記録から、多機能体重計Ｋ４では、定期的に測定結果が送信されていることが解析されれば、上記のように、「測定結果が送信された」をチェックリスト項目の動作状態として設定できる。
【００４９】
なお、チェックリスト項目の動作状態は、家電ログサーバ装置１が予め解析して提示する複数の選択肢からユーザが選択したり、家電ログの内容をユーザが見て設定してもよい。
【００５０】
ステップＡ３では、調光制御対象機器の制御項目（動作内容リスト）を作成する。本実施形態においては、調光制御対象機器は、照明機器Ｋ２であるので、照明機器Ｋ２の調光制御を行う場合に具体的にどのような調光制御を行うかの制御内容を項目として作成する。
【００５１】
調光制御には、たとえば「光量をゼロにする（電源オフ）」、「光量を２５％に低減する」、「光量を３分ごとに５％ずつ低下させる」などがある。
【００５２】
なお、家屋内に、通信機能を有する新たな家電機器が設置され、予め定める手順によって家電ログの対象に登録されると、速やかに家電ログの記録が開始されるが、照明調光条件リストについては、家電ログサーバ装置１において、登録後速やかに項目の追加を行い、端末装置２に対して項目追加の通知を行ってもよいし、次回の照明調光条件リスト作成時に追加してもよい。
【００５３】
次に、照明機器Ｋ２の調光制御について説明する。図５は、家電ログサーバ装置１による照明機器Ｋ２の調光制御処理を示すフローチャートである。本フローチャートは、図４で示した照明調光条件リストの作成および制御項目の作成が終了していることを処理開始条件とする。
【００５４】
ステップＢ１では、居住者によって調光を開始する予定時刻が設定される。予定時刻の設定は、家電ログサーバ装置１に予定時刻を示す開始時刻情報を送信することができればどのような手段で設定してもよいが、たとえば、居住者であるユーザが、端末装置２を操作して予定時刻を設定するのが好ましい。
【００５５】
端末装置２は、睡眠時に照明機器Ｋ２を調光するためのアプリ（睡眠調光アプリ）を実行することが可能であり、睡眠調光アプリでは、調光開始時刻の入力、照明調光条件リストの表示および動作状態の確認などを行うことができる。
【００５６】
図６は、調光開始予定時刻の入力画面例を示す図である。睡眠調光アプリを起動し、開始予定時刻の入力設定の機能を選択すると、図６に示すような入力画面が表示部２４に表示される。この例では、現在時刻表示領域２４ａに現在の時刻が表示され、調光開始予定時刻入力領域２４ｂに予定時刻を入力することができる。時刻などの数値は、操作部２５を操作することにより公知の入力方法で入力可能である。
【００５７】
調光開始予定時刻入力領域２４ｂにユーザが時刻を入力し、確定操作を実行すると、入力された予定時刻を示す開始時刻情報が、端末装置２から家電ログサーバ装置１に送信され、調光開始予定時刻が設定される。
【００５８】
ステップＢ２では、現在時刻が、設定された調光開始予定時刻に達したかどうかを判断し、達していればステップＢ３に進み、達していなければ待機する。
【００５９】
ステップＢ３では、照明調光条件リストの項目が全て完了したかどうかを判断する。上記のように、照明調光条件リストには、各家電機器Ｋと各家電機器Ｋに対応する動作状態とがリスト化されており、家電ログを参照して現在時刻での各家電機器Ｋの動作状態と照明調光条件リストの動作状態とが一致するかどうかを判断し、全ての家電機器Ｋに対して動作状態が一致していれば項目が全て完了したとしてステップＢ６に進む。
【００６０】
全ての家電機器Ｋのうちの１つでも動作状態が一致しなければ、完了していない項目があるとしてステップＢ４に進む。ステップＢ４では、完了していない項目について、ユーザに対してアラートを出力する。
【００６１】
具体的には、完了していないことのみを報知する、家電機器Ｋの名称も報知する、家電機器Ｋの名称と完了していない動作状態も報知する、など報知の内容は、居住者に対して完了していない項目、すなわち睡眠までにやり残したことがあることを報知することができればどのような内容でもよい。
【００６２】
また、報知の手段についても、端末装置２に通知する、端末装置２で実行する睡眠調光アプリの画面に出力する、端末装置２など予め登録していたアドレス宛てに電子メールを送信する、液晶テレビＫ１の表示画面に表示させるなど居住者が、報知があったことを気付くことができる手段であればどのような手段でもよい。
【００６３】
なお、注意喚起のためのアラートを出力する頻度については、図６に示した開始予定時刻設定の入力画面において入力することができる。この例では、頻度入力領域２４ｃにアラートを出力する頻度を時間、たとえば「１時間毎」などのように入力することができる。
【００６４】
図７は、照明調光条件リストの完了状況を示す表示画面例である。睡眠調光アプリでは、現在時刻において、照明調光条件リストの項目ごとに完了と未完了とを表示する。端末装置２の表示部２４には、各家電機器Ｋの名称２４ｄが表示され、家電機器Ｋごとに、完了を示す“■”と、未完了を示す“□”のいずれかのマーク２４ｅが表示される。図７に示した例では、全自動洗濯機Ｋ５、自律型掃除機Ｋ３および多機能体重計Ｋ４については、動作項目が完了しているので、完了を示す“■”が表示されているが、液晶テレビＫ１については、未完了を示す“□”が表示されている。液晶テレビＫ１について予め定める動作状態が電源オフであるとすると、現在時刻において、動作状態が電源オンの状態であることがわかる。
【００６５】
このような完了状況を示す画面は、調光開始設定時刻よりも前であっても、睡眠調光アプリを起動させれば確認することができ、また、調光開始設定時刻を過ぎても完了していない項目がある場合に、ステップＢ４でアラートの出力として表示させることもできる。
【００６６】
ステップＢ４で、アラートを出力したのち、ステップＢ５でアラートの出力を繰り返すかどうかを判断し、繰り返す場合はステップＢ３に戻って照明調光条件リストの項目が全て完了したかどうかを再度判断する。アラートの出力を繰り返さない場合は、ステップＢ６に進む。
【００６７】
照明調光条件リストの項目のうち１つでも完了していない場合に、たとえ繰り返しアラートを出力したとしても、居住者が気付かないことや、何らかの理由で特定の家電機器について、照明調光条件リストの項目の動作状態を完了できない不具合があることが想定される。その場合、いつまでもアラートが出力され、調光は開始されない状態になる。このような状態を避けるために、アラートを出力した回数をカウントするとともに、予めアラートの最大出力回数を設定しておき、ステップＢ５において、直前のステップＢ４で出力したアラートの出力回数と、設定された最大出力回数とを比較し、一致すればステップＢ３に戻らず、ステップＢ６に進むようにする。
【００６８】
ステップＢ６では、調光制御対象機器の制御項目として設定された調光の制御内容に従って、照明機器Ｋ２の調光制御を行う。調光制御は、家電ログサーバ装置１から制御対象機器である照明機器Ｋ２に対して調光に関する制御コマンドを送信することで遠隔制御する。
【００６９】
＜第２実施形態＞
第１実施形態では、照明調光条件リストの各項目は、家電ログに動作状態が記録された家電機器しか設定できないので、家電ログサーバ装置１と通信可能な家電機器のみに限られる。
【００７０】
たとえば、日々の習慣や消費電力量の削減などのために、家電ログに記録されない家電機器であっても、睡眠前に電源をオフしておくべき家電機器や何らかの動作を終了させておくべき家電機器がある。さらに、家電機器に関係なく、薬を飲む、日記を書く、明日の準備をするなど日常生活においてやるべき項目、いわゆるＴｏＤｏがある。
【００７１】
第２実施形態では、ユーザがＴｏＤｏリストを作成し、照明調光条件リストに追加する。図８は、家電ログサーバ装置１による照明調光条件リストの作成処理を示すフローチャートである。図８に示すフローチャートでは、ステップＣ１〜ステップＣ３までは、図４に示した第１実施形態のフローチャートのステップＡ１〜ステップＡ３の自動項目設定と同じであるので説明は省略する。ステップＣ４で、照明調光条件リストに対して手動で項目を追加するかどうかを判断する。項目を追加しない場合は、作成処理を終了し、項目を追加する場合は、ステップＣ５でユーザが、端末装置２などを操作して手動で照明調光条件リストの編集を行う。
【００７２】
ユーザによる手動編集は、端末装置２で睡眠調光アプリの手動編集機能で行うことができる。たとえば、家電機器Ｋの代わりに、「薬を飲む」などの実行すべき項目を文字入力し、任意の項目としてリストに追加することができる。実行すべき項目については、通信機能を有していない家電機器Ｋを設定してもよい。ユーザが、任意に追加した項目が、完了したかどうかについては、家電ログサーバ装置１が判断することはできないので、ユーザが追加した項目について、家電ログサーバ装置１は、具体的な内容まで記憶しておく必要はない。
【００７３】
手動編集が終了すると、端末装置２から家電ログサーバ装置１に対して、照明調光条件リストに、手動編集によって任意の項目が追加されたことおよび追加項目数が手動編集情報として送信される。
【００７４】
ユーザが追加した任意の項目については、これを完了したときに、家電ログサーバ装置１が判断できないので、ユーザが自ら完了したことを、睡眠調光アプリを操作して入力し、その入力結果を端末装置２から家電ログサーバ装置１へ送信する。
【００７５】
家電ログサーバ装置１は、手動編集情報を受信することで、任意の項目が追加されたことおよび追加項目数を認識しているので、端末装置２から送信された追加項目完了の入力結果の数と、追加項目数とが一致すれば、追加項目については全て完了したと判断することができる。家電ログサーバ装置１が項目として設定した自動設定項目については、第１実施形態と同様に、家電ログに基づいて家電ログサーバ装置１が完了したかどうかを判断する。
【００７６】
図９は、照明調光条件リストの完了状況を示す表示画面例である。第２実施形態では、上記のように自動設定項目および追加項目の２種の項目があるので、睡眠調光アプリによって照明調光条件リストを表示する場合に、たとえば、自動設定項目表示領域２４ｆと追加項目表示領域２４ｇの２種の表示領域にそれぞれの項目を表示する。自動設定項目表示領域２４ｆに表示された項目については、家電ログサーバ装置１が完了、未完了を判断し、判断結果を端末装置２に送信することにより、表示部２４の表示画面において、未完了を示す“□”から完了を示す“■”にマークの表示が適宜切り換わる。
【００７７】
追加項目表示領域２４ｇに表示された項目については、完了、未完了をユーザが入力する必要がある。入力方法はどのような方法であってもよいが、たとえば、タッチパネルを備える場合には、完了状況の表示画面において、項目ごとに完了状況入力領域２４ｉをそれぞれ設けておき、項目に対応する完了状況入力領域２４ｉをタップすることにより、未完了を示す“□”から完了を示す“■”にマークの表示が切り換わる。
【００７８】
ユーザの入力によって未完了から完了に変化したときには、入力結果が端末装置２から家電ログサーバ装置１に送信される。
【００７９】
第２実施形態における照明機器Ｋ２の調光制御処理については、図５のフローチャートのステップＢ３における判断の内容が変わるだけで他のステップにおいては同じである。
【００８０】
ステップＢ３では、家電ログサーバ装置１が項目として設定した自動設定項目が全て完了しており、さらに前述の追加項目についても全て完了した場合に、ステップＢ３において、照明調光条件リストおける全ての項目が完了したと判断できる。自動設定項目および追加項目のうちのいずれか１つでも完了していなければ、ステップＢ３において、完了していない項目があると判断される。
【００８１】
このように、第２実施形態では、家電機器Ｋとは関連性のない項目を照明調光条件リストに追加することができるので、家電機器Ｋの動作だけではなく、日常生活でのいわゆるＴｏＤｏリストの実行確認も行うことができる。
【００８２】
＜第３実施形態＞
第１および第２実施形態は、調光制御の対象である対象機器として、予め照明機器Ｋ２が選択されており、対象機器の変更および追加ができない仕様としている。居住者の睡眠に対して与える影響の度合いから照明機器Ｋ２の調光制御を行うことが好ましいが、家屋内を照明する発光部を有する家電機器としては、照明機器Ｋ２以外に、液晶テレビＫ１などの表示装置がある。液晶テレビＫ１であれば、バックライトが家屋内を照明する発光部となり、プラズマテレビなど自発光型の表示装置であれば、表示パネル自体が発光部となる。
【００８３】
このような表示装置についても電源オンしている状態で画面が表示されていれば、部屋内が照明されることになるので、第３実施形態では、照明機器Ｋ２だけでなく、発光部を有する表示装置も調光制御の対象機器とすることを可能とする。
【００８４】
ユーザは、家屋に設置された家電機器Ｋの中から調光制御の対象機器を任意に選択することができる。
【００８５】
家電ログサーバ装置１は、第１および第２実施形態と同様に、家電ログに基づいて照明調光条件リストに設定する家電機器Ｋをリストアップする。第１および第２実施形態では、照明機器Ｋ２が調光制御の対象機器として選択された状態にあるので、照明機器Ｋ２が照明調光条件リストに設定されることはないが、第３実施形態では、調光制御の対象機器をユーザが選択するので、未選択の状態では照明機器Ｋ２もリストアップされる。
【００８６】
図１０は、調光制御対象装置の選択および照明調光条件リストの完了状況を示す表示画面例である。この例では、機器表示領域２４ｊに、家電ログに動作状態が記録された家電機器の名称が表示され、家電機器ごとにチェックボックス２４ｋが設けられる。ユーザがチェックボックス２４ｋの１つを選択すると、選択されたチェックボックス２４ｋには、チェックマークが表示される。これにより、チェックマークがついたチェックボックス２４ｋに対応する家電機器が対象機器として選択される。
【００８７】
このとき、端末装置２から家電ログサーバ装置１へ対象機器として選択された家電機器を示す選択対象機器情報が送信される。図１０に示した例では、液晶テレビＫ１と照明機器Ｋ２のチェックボックス２４ｋにそれぞれチェックマークが表示され、これら２つの家電機器が対象機器として選択されたことを示しており、液晶テレビＫ１および照明機器Ｋ２とが対象機器として選択されたことを示す選択対象機器情報が、端末装置２から家電ログサーバ装置１へ送信される。
【００８８】
図１０に示した表示画面例は、完了状況も表示するので、図７，９と同様に完了状況を示すマーク２４ｍが表示される。調光制御の対象機器については、完了状況を判断する対象ではないので、完了状況を示すマーク２４ｍは表示されない。また、家電ログサーバ装置１においても、選択対象機器情報を受信し、調光制御の対象機器が選択されると、選択された対象機器については、動作状態を確認して完了状況を判断する必要がない家電機器であると認識する。
【００８９】
このように第３実施形態では、照明機器Ｋ２以外の他の家電機器も調光制御の対象機器として任意に選択することができる。
【００９０】
＜第４実施形態＞
上記の第１〜第３実施形態は、睡眠時の快適な居住空間を実現するために、照明機器や表示装置など家屋内を照明する家電機器の動作制御を行うものであるが、睡眠時の快適性には、照明だけでなく音楽などの音声出力も影響する。ＣＤプレイヤー、液晶テレビなどの音声出力用スピーカを備える家電機器については、その出力音量を制御することが好ましい。
【００９１】
第１〜第３実施形態とは、具体的な制御内容が、調光制御であるか音量制御であるかの違いだけであるので、第４実施形態は、第１〜第３実施形態と同様に実施することができる。
【００９２】
たとえば、図４のフローチャートにおいて、照明調光条件リストを、音量制御条件リストとし、ステップＡ３で、調光制御対象機器の制御項目を作成する代わりに、音量制御の項目を作成すればよい。
【００９３】
音量制御には、たとえば「音量をゼロにする（電源オフ）」、「音量を１５％に低減する」、「音量を１分ごとに５％ずつ低下させる」などがある。
【００９４】
図５のフローチャートにおいては、ステップＢ３で、家電ログを参照して現在時刻での各家電機器Ｋの動作状態と音量制御条件リストの動作状態とが一致するかどうかを判断し、全ての家電機器Ｋに対して動作状態が一致していれば項目が全て完了したと判断し、ステップＢ６で、音量制御対象機器の制御項目として設定された制御内容に従って、液晶テレビＫ１などの音量制御を行う。音量制御は、家電ログサーバ装置１から制御対象機器である液晶テレビＫ１に対して音量に関する制御コマンドを送信することで遠隔制御する。
【００９５】
なお、第１〜第４実施形態は、適宜組合せることが可能であり、たとえば、１つのシステムで、調光制御と音量制御の２種の制御を行うこともでき、さらに、手動による任意項目の追加および対象機器の選択も１つのシステムで総合的に実施することが可能である。
【００９６】
＜第５実施形態＞
また本発明は、第５実施形態として、コンピュータを上記の家電ログサーバ装置１として機能させるためのサーバプログラムを提供することができる。
【００９７】
なお、本実施形態のサーバプログラムを記録する記録媒体として、マイクロコンピュータで処理が行われるために図示していないメモリ、たとえばＲＯＭ（Read Only Memory）のようなものそのものがプログラム記録媒体であっても良いし、また、図示していないが外部記憶装置としてプログラム読み取り装置が設けられ、そこに挿入することで読み取り可能なプログラム記録媒体であっても良い。
【００９８】
いずれの場合においても、格納されているプログラムはマイクロプロセッサがアクセスして実行させる構成であっても良いし、あるいは、いずれの場合もプログラムコードを読み出し、読み出されたプログラムコードは、マイクロコンピュータの図示されていないプログラム記憶エリアにダウンロードされて、そのプログラムが実行される方式であってもよい。このダウンロード用のプログラムは予め本体装置に格納されているものとする。
【００９９】
ここで、上記プログラム記録媒体は、コンピュータ本体と分離可能に構成される記録媒体であり、磁気テープやカセットテープなどのテープ系、フレキシブルディスクやハードディスク等の磁気ディスクやＣＤ−ＲＯＭ／ＭＯ／ＭＤ／ＤＶＤなどの光ディスクのディスク系、ＩＣカード（メモリカードを含む）／光カードなどのカード系、あるいはマスクＲＯＭ、ＥＰＲＯＭ（Erasable Programmable Read Only Memory）、ＥＥＰＲＯＭ（E lectrically Erasable Programmable Read Only Memory）、フラッシュＲＯＭなどによる半導体メモリを含めた固定的にプログラムコードを担持する媒体であっても良い。
【０１００】
また、コンピュータがインターネットを含む通信ネットワークを接続可能なシステム構成であることから、通信ネットワークからプログラムコードをダウンロードするように流動的にプログラムコードを担持する媒体であっても良い。なお、このように通信ネットワークからプログラムをダウンロードする場合には、そのダウンロード用のプログラムは予めコンピュータ本体に格納しておくか、あるいは別な記録媒体からインストールされるものであっても良い。なお、本実施形態は、上記プログラムコードが電子的な伝送で具現化された、搬送波に埋め込まれたコンピュータデータ信号の形態でも実現され得る。
【符号の説明】
【０１０１】
１      家電ログサーバ装置
２      端末装置
１０    制御部
１１    記憶部
１２    記憶部
１２    通信部
１８    音声入出力部
２１    制御部
２２    記憶部
２３    通信部
２４    表示部
２５    操作部
２６    音声入出力部
Ｋ      家電機器
Ｋ１    液晶テレビ
Ｋ２    照明機器
Ｋ３    自律型掃除機
Ｋ４    多機能体重計
Ｋ５    全自動洗濯機
Ｓ      家電制御システム
【図１】
2014135616.tif 000003
【図２】
2014135616.tif 000004
【図３】
2014135616.tif 000005
【図４】
2014135616.tif 000006
【図５】
2014135616.tif 000007
【図６】
2014135616.tif 000008
【図７】
2014135616.tif 000009
【図８】
2014135616.tif 000010
【図９】
2014135616.tif 000011
【図１０】
2014135616.tif 000012